(57)【要約】【課題】複数の医療機関で測定された測定結果の表示に係る利便性を向上させること。【解決手段】被検体を検査又は測定することで得られた測定値と、前記測定値が取得された日時と、前記測定値を取得した医療機関を示す情報とを対応付けた測定データを記憶する記憶部と、前記医療機関の何れかから指定された被検体に係る前記測定データを、前記記憶部から取得する取得部と、前記取得部が取得した前記測定データに含まれる前記測定値を時系列順に配列して表示させるとともに、配列した前記測定値に対応付けて、当該測定値を取得した前記医療機関の特性を表す特性値に基づく情報を前記医療機関間で識別可能に表示させる表示制御部と、を有する。【選択図】図２
2020126462.tif 000002
【特許請求の範囲】
【請求項１】
被検体を検査又は測定することで得られた測定値と、前記測定値が取得された日時と、前記測定値を取得した医療機関を示す情報とを対応付けた測定データを記憶する記憶部と、
前記医療機関の何れかから指定された被検体に係る前記測定データを、前記記憶部から取得する取得部と、
前記取得部が取得した前記測定データに含まれる前記測定値を時系列順に配列して表示させるとともに、配列した前記測定値に対応付けて、当該測定値を取得した前記医療機関の特性を表す特性値に基づく情報を前記医療機関間で識別可能に表示させる表示制御部と、
を有する医用情報処理システム。
【請求項２】
前記特性値は、前記医療機関の各々で取得された前記測定値の統計上の代表値であり、
前記表示制御部は、前記取得部が取得した前記測定データに係る医療機関のうち、基準とする特定の医療機関の特性値と、当該特定の医療機関以外の他の医療機関の特性値との差分に基づき補正した補正後の前記測定値を、配列した前記測定値に付加して表示させる、請求項１に記載の医用情報処理システム。
【請求項３】
前記表示制御部は、前記取得部が取得した前記測定データに含まれる測定値のうち、基準とする特定の医療機関で取得された測定値と、当該特定の医療機関以外の他の医療機関で取得された測定値とを識別可能に表示させる、請求項１又は２に記載の医用情報処理システム。
【請求項４】
前記表示制御部は、配列した前記測定値の各々を時系列順に線分で繋ぐとともに、前記特定の医療機関で取得された測定値を表示する表示色を用いて前記線分を表示させる、請求項３に記載の医用情報処理システム。
【請求項５】
前記表示制御部は、前記特性値が存在しない医療機関で取得された測定値に繋がる線種を、当該測定値以外の他の測定値間を繋ぐ線種と相違させる、請求項４に記載の医用情報処理システム。
【請求項６】
前記表示制御部は、前記特性値が存在しない医療機関で取得された測定値を、他の測定値と識別可能に表示する、請求項２〜５の何れか一項に記載の医用情報処理システム。
【請求項７】
前記被検体を指定した前記医療機関を判定する判定部を更に有し、
前記表示制御部は、前記判定部が判定した前記医療機関を基準とする、請求項２〜６の何れか一項に記載の医用情報処理システム。
【請求項８】
前記特性値は、前記医療機関の各々で使用されている前記測定値の判定に係る基準範囲であり、
前記表示制御部は、配列した測定値の各々に対し、当該測定値を取得した前記医療機関の基準範囲を付加して表示させる、請求項１〜７の何れか一項に記載の医用情報処理システム。
【請求項９】
前記表示制御部は、基準とする特定の医療機関の基準範囲を、当該特定の医療機関以外の他の医療機関の基準範囲と識別可能に表示させる、請求項８に記載の医用情報処理システム。
【発明の詳細な説明】
【技術分野】
【０００１】
本発明の実施形態は、医用情報処理システムに関する。
【背景技術】
【０００２】
従来、医療の分野では、医師による診断や治療方針の検討を支援するため、複数の時点で取得された被検体の測定値等を時系列順に表示することが行われている。また、近年では、医療機関同士が相互に連携を図る地域医療連携が進められており、複数の医療機関で取得された検査値を相互に参照することが可能となっている。
【先行技術文献】
【特許文献】
【０００３】
【特許文献１】特開２０１３−２４２７４５号公報
【発明の概要】
【発明が解決しようとする課題】
【０００４】
本発明が解決しようとする課題は、複数の医療機関で測定された測定結果の表示に係る利便性を向上させることができる医用情報処理システムを提供することである。
【課題を解決するための手段】
【０００５】
実施形態に係る医用情報処理システムは、被検体を検査又は測定することで得られた測定値と、前記測定値が取得された日時と、前記測定値を取得した医療機関を示す情報とを対応付けた測定データを記憶する記憶部と、前記医療機関の何れかから指定された被検体に係る前記測定データを、前記記憶部から取得する取得部と、前記取得部が取得した前記測定データに含まれる前記測定値を時系列順に配列して表示させるとともに、配列した前記測定値に対応付けて、当該測定値を取得した前記医療機関の特性を表す特性値に基づく情報を前記医療機関間で識別可能に表示させる表示制御部と、を有する。
【図面の簡単な説明】
【０００６】
【図１】図１は、実施形態に係る医用情報処理システムの構成例を示す図である。
【図２】図２は、実施形態に係る情報提供サーバの構成の一例を示す図である。
【図３】図３は、実施形態の検査結果ＤＢに格納された診療データのデータ構成の一例を示す図である。
【図４】図４は、実施形態に係る検出機能の動作を説明するための図である。
【図５】図５は、実施形態に係る検査値推移画面の表示形態の一例を示す図である。
【図６】図６は、図５に示した検査値推移画面の変形例を示す図である。
【図７】図７は、実施形態に係る検査値推移画面の表示形態の一例を示す図である。
【図８】図８は、図７に示した検査値推移画面の変形例を示す図である。
【図９】図９は、実施形態に係る検査値推移画面の表示形態の一例を示す図である。
【図１０】図１０は、実施形態に係る検査値推移画面の表示形態の一例を示す図である。
【図１１】図１１は、実施形態の情報提供サーバで実行される特性値検出処理の一例を示すフローチャートである。
【図１２】図１２は、実施形態の情報提供サーバで実行される情報提供処理の一例を示すフローチャートである。
【図１３】図１３は、変形例１に係る情報提供サーバの構成の一例を示す図である。
【図１４】図１４は、変形例１に係る基準範囲ＤＢのデータ構成の一例を示す図である。
【図１５】図１５は、変形例３に係る検査値推移画面の表示形態の一例を示す図である。
【図１６】図１６は、変形例４に係る検査値推移画面の表示形態の一例を示す図である。
【図１７】図１７は、変形例５に係る検査値推移画面の表示形態の一例を示す図である。
【発明を実施するための形態】
【０００７】
以下、図面を参照しながら、医用情報処理システムの実施形態について説明する。
【０００８】
図１は、本実施形態に係る医用情報処理システムの構成例を示す図である。図１に示すように、本実施形態に係る医用情報システム１は、複数の医療機関システム１０（１０ａ〜１０ｃ）と、情報提供サーバ２０とを有し、ネットワークＮ１を介して通信可能に接続される。なお、ネットワークＮ１に接続される医療機関システム１０の個数は特に問わないものとする。
【０００９】
医療機関システム１０は、病院等の医療機関や検査機関（以下、総称して医療機関）の各々が備えるシステムである。図１に示す例では、医療機関システム１０ａは、病院Ａの医療機関システムであり、医療機関システム１０ｂは、病院Ｂの医療機関システムであり、医療機関システム１０ｃは、病院Ｃの医療機関システムであり、医療機関システム１０ｄは、病院Ｄの医療機関システムである。これら各病院（医療機関システム１０ａ〜１０ｄ）は、例えば地域医療連携の関係にあり、患者等の被検体の診療データを相互に参照することが可能となっている。
【００１０】
医療機関システム１０の各々は、例えば、検体検査システム１１、画像診断システム１２、電子カルテシステム１３、端末装置１４等を有している。検体検査システム１１、画像診断システム１２、電子カルテシステム１３及び端末装置１４は、院内ネットワークＮ２を介して通信可能に接続される。また、院内ネットワークＮ２は、ルータ等のネットワーク機器を介して、ネットワークＮ１に接続される。
【００１１】
検体検査システム１１は、被検体に対して実施された検体検査に関する診療データを生成し、システム内の記憶回路に記憶する。例えば、検体検査システム１１は、被検体に対して実施された血液学的検査や生化学的検査の結果を示す検査値（数値データ）を含んだ診療データを生成する。また、検体検査システム１１は、記憶回路に記憶されている診療データを情報提供サーバ２０に提供する。
【００１２】
画像診断システム１２は、被検体に対して実施された画像診断に関する診療データを生成し、システム内の記憶回路に記憶する。ここで、画像診断は、Ｘ線ＣＴ（Computed  Tomography）装置によって撮像されたＣＴ画像を用いた検査や、ＭＲＩ（Magnetic  Resonance  Imaging）装置によって撮像されたＭＲ画像を用いた検査、超音波診断装置によって撮像された超音波画像を用いた検査、Ｘ線診断装置によって撮像されたＸ線画像を用いた検査等が含まれる。例えば、画像診断システム１２は、画像診断によって得られた血管径や血流量等の検査値（数値データ）を含んだ診療データを生成する。また、画像診断システム１２は、記憶回路に記憶されている診療データを情報提供サーバ２０に提供する。
【００１３】
電子カルテシステム１３は、被検体に対して実施された処方や看護記録に関する診療データを生成して、システム内の記憶回路に記憶する。例えば、電子カルテシステム１３は、被検体のバイタル（脈拍、心拍数、呼吸数、血圧、体温等）等の検査値（数値データ）を含んだ診療データを生成する。また、電子カルテシステム１３は、記憶回路に記憶されている診療データを情報提供サーバ２０に提供する。
【００１４】
上述した検体検査システム１１、画像診断システム１２及び電子カルテシステム１３の各システムで生成される診療データには、測定値に対応する検査値の他、以下のような情報が含まれている。例えば、診療データには、検査が行われた日時（測定日時）、検査の種別（検査種別）、検査値の単位、正常又は異常を示す異常フラグ等の情報が含まれる。
【００１５】
また、診療データには、被検体を一意に識別することが可能な患者ＩＤが含まれる。患者ＩＤは、各医療機関で共通のものであってもよいし、各医療機関で相違するものであってもよい。但し、後者の場合には、例えば、同一人物に関する各医用期間の患者ＩＤを相互に関連付け等することで、各医療機関の患者ＩＤから同一人物の被検体を特定できるよう構成されているものとする。
【００１６】
また、診療データには、被検体の検査が行われた環境（検査環境）を示す情報として、検査が行われた医療機関を一意に識別することが可能な情報が含まれる。
【００１７】
なお、診療データに含まれる情報は、上述した例に限らないものとする。例えば、診療データは、被検体に関する情報として、被検体の性別や年齢、ＢＭＩ（Body  Mass  Index）、喫煙／飲酒習慣の有無等の情報を含んでもよい。また、診療データは、検査環境として、検査に使用された装置を識別可能な情報や、検査に使用された試薬を識別可能な情報等を含んでもよい。また、診療データは、検体の採取日時を含んでもよい。
【００１８】
端末装置１４は、医師、看護師、検査技師等の医療従事者が使用するＰＣ（Personal  Computer）やタブレット端末等のコンピュータ機器である。端末装置１４は、図１に示すように、入力回路１４１及びディスプレイ１４２を有する。入力回路１４１は、操作者からの入力操作を受け付ける。例えば、入力回路１４１は、トラックボール、スイッチボタン、マウス、キーボード、タッチパネル等によって実現される。ディスプレイ１４２は、各種のデータを表示する。例えば、ディスプレイ１４２は、液晶モニタやＣＲＴ（Cathode  Ray  Tube）モニタ、タッチパネル等によって実現される。なお、入力回路１４１とディスプレイ１４２とは統合してもよい。例えば、入力回路１４１及びディスプレイ１４２は、タッチパネル構成であってもよい。
【００１９】
医療従事者は、端末装置１４を介して、自己の医療機関内の各システムにアクセスすることができる。また、医療従事者は、端末装置１４を介して、情報提供サーバ２０にアクセスすることができる。なお、情報提供サーバ２０へのアクセス時には、端末装置１４が設置された医療機関の医療機関ＩＤ、端末装置１４を操作するユーザ（医療従事者）を識別可能な情報が、情報提供サーバ２０に送信されるものとする。
【００２０】
情報提供サーバ２０は、ネットワークＮ１を介して、医療機関システム１０の各々から各種の診療データを取得し、取得した診療データを用いて各種の情報処理を行う。例えば、情報提供サーバ２０は、サーバ装置やワークステーション等のコンピュータ機器によって実現される。なお、情報提供サーバ２０は、単一の装置に限らず、ネットワーク接続された複数のコンピュータ機器の協働（例えばクラウドコンピューティング）により実現される形態としてもよい。
【００２１】
図２は、情報提供サーバ２０の構成の一例を示す図である。図２に示すように、情報提供サーバ２０は、通信インタフェース２１０と、記憶回路２２０と、処理回路２３０とを有する。
【００２２】
通信インタフェース２１０は、処理回路２３０に接続されており、情報提供サーバ２０と各医療機関システム１０との間で行われる各種データの伝送及び通信を制御する。具体
的には、通信インタフェース２１０は、各医療機関システム１０から診療データを受信し、受信した診療データを処理回路２３０に出力する。通信インタフェース２１０は、例えば、ネットワークカードやネットワークアダプタ、ＮＩＣ（Network  Interface  Controller）等によって実現される。
【００２３】
記憶回路２２０は、処理回路２３０に接続されており、各種データを記憶する。具体的には、記憶回路２２０は、処理回路２３０が実行する各種のプログラムや、情報提供サーバ２０の動作に関する各種の設定情報を記憶する。また、記憶回路２２０は、本実施形態の記憶部に対応する、各医療機関システム１０から受信した診療データを記憶するための検査結果ＤＢ２２１を保持する。記憶回路２２０は、例えば、ＲＡＭ（Random  Access  Memory）、フラッシュメモリ等の半導体メモリ素子や、ハードディスク、光ディスク等によって実現される。なお、検査結果ＤＢ２２１は、記憶回路２２０が保持する形態に限らず、情報提供サーバ２０がアクセス可能な外部装置が保持する形態としてもよい。
【００２４】
処理回路２３０は、情報提供サーバ２０の動作を統括的に制御する。処理回路２３０は、例えば、ＣＰＵ（Central  Processing  Unit）等のプロセッサによって実現される。
【００２５】
また、処理回路２３０は、収集機能２３１、検出機能２３２、判定機能２３３、取得機能２３４及び表示制御機能２３５を備える。なお、判定機能２３３は、判定部の一例である。また、取得機能２３４は、取得部の一例である。また、表示制御機能２３５は、表示制御部の一例である。
【００２６】
収集機能２３１は、医療機関システム１０の各々から診療データを収集する。具体的には、収集機能２３１は、各医療機関システム１０の検体検査システム１１、画像診断システム１２及び電子カルテシステム１３の各々から提供される診療データを収集する。そして、収集機能２３１は、収集した診療データを記憶回路２２０の検査結果ＤＢ２２１に格納する。
【００２７】
図３は、検査結果ＤＢ２２１に格納された診療データのデータ構成の一例を示す図である。図３に示すように、診療データは、患者ＩＤ、測定日時、検査種別、検査値、単位、異常フラグ及び検査環境ＩＤをデータ項目として有する。なお、図３に示す診療データは、各医療機関システム１０の検体検査システム１１から収集された診療データの一例を示している。
【００２８】
図３において、患者ＩＤは、被検体を一意に識別することが可能な情報である。測定日時は、被検体の検査が行われた日時である。検査種別は、被検体に対して行われた検査の種別を示す。検査値は、検査によって得られた被検体の検査値（数値データ）である。単位は、検査値の数量を表す物理単位である。異常フラグは、医療機関で設定された情報であり、検査値が正常か否かを示す情報である。なお、図３では、異常フラグの空欄は、正常と判定されたことを意味している。また、検査環境ＩＤには、検査が行われた医療機関を識別可能な情報が格納される。なお、図３では、検査環境ＩＤとして、病院名を格納した例を示している。
【００２９】
図２に戻り、検出機能２３２は、検査結果ＤＢ２２１に格納された診療データに基づいて、検査環境ＩＤに登録された検査環境（医療機関）、及び検査種別毎に特性値を検出する。ここで、特性値は、検査結果の傾向を表すものである。以下では、検査環境を単に医療機関ともいう。
【００３０】
具体的には、検出機能２３２は、診療データに含まれた検査値及び異常フラグの状態に基づき、検査結果の傾向を表す特性値を医療機関（検査環境ＩＤ）及び検査種別毎に検出
する。ここで、検出機能２３２は、医療機関及び検査種別毎に検査値の度数分布を算出し、当該度数分布から得られる平均値、中央値、最頻値等の代表値を第１の特性値として検出する。また、検出機能２３２は、診療データに含まれた検査値と異常フラグとの関係に基づき、各医療機関での被検体の状態判定に係る基準範囲又は当該基準範囲を特定可能な検査値の範囲を第２の特性値として検出する。例えば、検出機能２３２は、正常／異常の判定や、要注意・要経過観察等の判定等の各種の状態判定に係る第２の特性値を検出する。以下、上述した第１の特性値及び第２の特性値の検出方法について説明する。なお、本実施形態では、説明の簡略化のため、正常／異常の判定に係る第２の特性値の検出方法について説明する。
【００３１】
第１の特性値を検出する場合、検出機能２３２は、検査結果ＤＢ２２１に格納された診療データを医療環境及び検査環境毎に区分する。次いで、検出機能２３２は、区分した診療データに基づき、当該診療データに含まれる検査値と当該検査値が登場する頻度との関係を表した度数分布を生成する。
【００３２】
図４は、検出機能２３２の動作を説明するための図であり、検査値と頻度との関係を表した度数分布を示している。ここで、図４（ａ）は、医療機関「病院Ａ」に係る検査値の度数分布を示すものであり、図４（ｂ）は、医療機関「病院Ｂ」に係る検査値の度数分布を示すものであるとする。なお、図４では、検査種別がＨＤＬ−コレステロール（ＨＤＬ−Ｃ）の検査値を分析の対象としている。
【００３３】
次いで、検出機能２３２は、度数分布を統計的に解析することで算出した平均値や中央値等の代表値を、第１の特性値として検出する。例えば、検出機能２３２は、図４（ａ）で示した度数分布から中央値「４９」を算出すると、この中央値「４９」を、医療機関「病院Ａ」及び検査種別「ＨＤＬ−Ｃ」係る第１の特性値として検出する。また、検出機能２３２は、図４（ｂ）で示した度数分布から中央値「４５」を算出すると、この中央値「４９」を、医療機関「病院Ｂ」及び検査種別「ＨＤＬ−Ｃ」係る第１の特性値として検出する。検出された第１の特性値は、対応する医療機関及び検査種別に対応付けて記憶回路２２０等に記憶される。
【００３４】
一方、第２の特性値を検出する場合、検出機能２３２は、上述した第１の特性値と同様に、検査結果ＤＢ２２１に格納された診療データを医療環境及び検査環境毎に区分する。次いで、検出機能２３２は、区分した診療データのうち、異常（又は正常）を示すフラグがセットされた検査値の上限値と下限値とを特定する。そして、検出機能２３２は、特定した上限値と下限値との各々を、検査値の正常／異常の判定に係る基準範囲を特定可能な第２の特性値として検出する。
【００３５】
ここで、図４（ａ）、（ｂ）を用いて説明すると、検出機能２３２は、図４（ａ）の度数分布に係る各診療データから、異常を示すフラグがセットされた検査値の上限値「１２１」と下限値「４４」とを特定する。また、図４（ｂ）の度数分布に係る各診療データから、異常を示すフラグがセットされた検査値の上限値「１２０」と下限値「２９」とを特定する。
【００３６】
そして、検出機能２３２は、図４（ａ）の上限値及び下限値の値を、基準範囲Ｒ１（４４＜Ｒ１＜１２１）を特定可能な、医療機関「病院Ａ」及び検査種別「ＨＤＬ−Ｃ」に係る第２の特性値として検出する。また、また、検出機能２３２は、図４（ｂ）の上限値及び下限値の値を、基準範囲Ｒ２（２９＜Ｒ１＜１２０）を特定可能な、医療機関「病院Ｂ」及び検査種別「ＨＤＬ−Ｃ」に係る第２の特性値として検出する。検出された第２の特性値は、対応する医療機関及び検査種別に対応付けて記憶回路２２０等に記憶される。
【００３７】
なお、上記例では、医療機関及び検査種別の単位で特性値を検出したが、より詳細に検査環境（検査環境ＩＤ）が設定されている場合には、その詳細な単位で特性値を検出してもよい。例えば、医療機関を識別可能な情報とともに、検査に使用された装置や試薬を識別可能な情報が診療データに含まれる場合には、それら装置や試薬の単位で特性値を検出してもよい。
【００３８】
また、検出機能２３２が特性値の検出を行うタイミングは特に問わず、任意に設定すること可能である。例えば、検出機能２３２は、予め設定されたタイミングで特性値の検出を行ってもよい。また、例えば、検出機能２３２は、端末装置１４等の外部装置から診療データの参照要求を受け付けたタイミングで特性値の検出を行ってもよい。
【００３９】
また、統計的な解析を行う上で診療データの個数（サンプル数）が不足するような場合には、特性値を検出することができず、又は特性値を検出できたとしても精度が低い可能性がある。そのため、検出機能２３２は、区分した診療データの個数が閾値未満となる場合には、該当する医療機関及び検査種別に対応付けて、特性値が不明であることを示す情報を記憶することが好ましい。
【００４０】
図２に戻り、判定機能２３３は、通信インタフェース２１０を介して自装置（情報提供サーバ２０）に対するアクセスを受け付けると、アクセス元の端末装置１４が所属する医療機関を判定する。具体的には、判定機能２３３は、何れかの端末装置１４から、診療データの参照要求を受け付けると、要求元の端末装置１４が所属する医療機関を判定する。以下、要求元の端末装置１４が所属する医療機関をアクセス元の医療機関という。また、アクセス元の医療機関以外の他の医療機関を、非アクセス元の医療機関という。
【００４１】
ここで、参照要求には、参照を要求する診療データを指定するための患者ＩＤや検査種別等の絞り込み条件が含まれる。また、例えば、参照要求には、要求元のユーザや医療機関を識別可能な情報が含まれてもよい。
【００４２】
例えば、参照要求に医療機関を識別可能な情報が含まれる場合、判定機能２３３は、参照要求に含まれた情報により特定される医療機関を、アクセス元の医療機関と判定する。また、例えば、判定機能２３３は、自装置にアクセスした端末装置１４のＩＰアドレスやドメインに基づき、アクセス元の医療機関を判定してもよい。
【００４３】
また、例えば、判定機能２３３は、ユーザ名及びパスワードを入力させるためのログイン画面を端末装置１４に提供し、ログイン画面に入力された情報に基づきアクセス元の医療機関を判定する形態としてもよい。この場合、例えば、判定機能２３３は、ログイン画面に入力されたユーザ名及びパスワードに基づいてユーザ認証を行い、ユーザ名と医療機関とを対応付けたデータテーブル等に基づいて、ログインを許可したユーザ名に対応する医療機関を特定することができる。
【００４４】
取得機能２３４は、医療機関（医療機関システム１０）の何れかから指定された被検体に係る診療データを検査結果ＤＢ２２１から取得する。具体的には、取得機能２３４は、参照要求に含まれた絞り込み条件に基づき、当該絞り込み条件に該当する診療データを、検査結果ＤＢ２２１から取得する。
【００４５】
例えば、絞り込み条件として患者ＩＤ及び検査種別が指定されていた場合、取得機能２３４は、指定された患者ＩＤ及び検査種別を含む診療データを、検査結果ＤＢ２２１から取得する。また、例えば、絞り込み条件として患者ＩＤが指定された場合、表示制御機能２３５は、指定された患者ＩＤを含む診療データを検査結果ＤＢ２２１から取得する。
【００４６】
表示制御機能２３５は、取得機能２３４が取得した診療データに基づき、当該診療データに含まれた検査値を時系列順に配列した表示用データを生成する。そして、表示制御機能２３５は、生成した表示用データを要求元の端末装置１４に提供することで、表示用データに応じた画面を端末装置１４のディスプレイ１４２に表示させる。
【００４７】
具体的には、表示制御機能２３５は、取得機能２３４が取得した診療データを検査種別毎に区分し、区分した診療データの各々に含まれる検査値を時系列順に配列する。ここで、複数の医療機関に亘って検査が行われていた場合には、複数の医療機関で取得された検査値が混在した状態で時系列順に配列されることになる。そして、表示制御機能２３５は、時系列順に配列した検査値をグラフ形式で表した表示用データを生成する。
【００４８】
また、表示制御機能２３５は、上述した表示用データの生成に関して、時系列順に配列した検査値に対し、当該検査値を取得した医療機関の特性値に基づく情報を対応付けて付加する。ここで、検査値に付加される情報は、種々の形態を採用することが可能である。
【００４９】
以下、図５〜図１０を参照しながら、表示制御機能２３５が生成する表示用データによって表示される画面（以下、検査値推移画面）の表示形態について説明する。
【００５０】
図５は、検査値推移画面の表示形態の一例を示す図である。ここで、検査値推移画面Ｇ１の横軸は検査が行われた日付を、縦軸は検査値を表している。また、検査値推移画面Ｇ１は、図３に示した診療データのうち、患者ＩＤ「Ｐ０００１」及び検査種別「ＨＤＬ−Ｃ」の絞り込み条件に該当する診療データの検査値を時系列順に配列（プロット）した結果を表している。
【００５１】
この、検査値推移画面Ｇ１では、アクセス元の医療機関に係る第１の特性値と、非アクセス元の医療機関に係る第１の特性値との差分に基づき、非アクセス元の医療機関で取得された検査値を補正した値を、上述した特性値に基づく情報として表示した例を示している。
【００５２】
例えば、判定機能２３３によりアクセス元の医療機関が「病院Ｂ」と判定されると、表示制御機能２３５は、その医療機関「病院Ｂ」及び検査種別「ＨＤＬ−Ｃ」に係る第１の特性値を補正の基準値に設定する。次いで、表示制御機能２３５は、設定した基準値と、非アクセス元の医療機関「病院Ａ、病院Ｃ、病院Ｄ」の各々について検出された検査種別「ＨＤＬ−Ｃ」に係る第１の特性値との差分を算出し、算出した差分値を補正量に設定する。例えば、病院Ｂの第１の特性値（基準値）が「４５」、病院Ａの第１の特性値が「４９」であったとすると、表示制御機能２３５は、両特性値の差分「−４」を補正量に設定する。
【００５３】
次いで、表示制御機能２３５は、時系列順にプロットした検査値のうち、アクセス元の医療機関「病院Ｂ」以外の、他の医療機関「病院Ａ、病院Ｃ、病院Ｄ」で取得された検査値を先に設定した補正量でそれぞれ補正し、補正後の検査値を補正前の検査値と識別可能な状態で付加する。例えば、病院Ａの検査値が「４４」であったとすると、表示制御機能２３５は、検査値が「４４」に補正量「−４」を加算し、補正後の検査値「４０」をプロットする。そして、表示制御機能２３５は、アクセス元の医療機関「病院Ａ」で取得された検査値及び補正後の検査値を線分（実線）で時系列順に繋ぐ。
【００５４】
図５の点Ｐ１１、Ｐ１２、Ｐ１３は、病院Ａの検査で取得された補正前の検査値４４ｍｇ／ｄＬ、５８ｍｇ／ｄＬ、５０ｍｇ／ｄＬにそれぞれ対応し、点Ｐ１１’、Ｐ１２’、Ｐ１３’は、点Ｐ１１〜Ｐ１３の検査値を補正量「−４」で補正した補正後の検査値４０ｍｇ／ｄＬ、５４ｍｇ／ｄＬ、４６ｍｇ／ｄＬにそれぞれ対応する。また、点Ｐ１４は、
アクセス元の病院Ｂの検査で取得された検査値６５ｍｇ／ｄＬに対応する。また、点Ｐ１５は、病院Ｃの検査で取得された補正前の検査値１１１ｍｇ／ｄＬに対応し、点Ｐ１５’は、点Ｐ１５の検査値を補正量「＋３」で補正した補正後の検査値１１４ｍｇ／ｄＬに対応する。また、点Ｐ１６は、病院Ｄの検査で取得された検査値６５ｍｇ／ｄＬに対応する。
【００５５】
ここで、補正前の点（Ｐ１１、Ｐ１２、Ｐ１３、Ｐ１５）と、補正後の点（Ｐ１１’、Ｐ１２’、Ｐ１３’、Ｐ１５’）とは表示色が異なり、補正後の検査値と補正前の検査値とを識別することが可能となっている。より詳細には、補正後の点（Ｐ１１、Ｐ１２、Ｐ１３、Ｐ１５）は、アクセス元の病院Ｂに係る点Ｐ１４と同一の表示色で表示されている。
【００５６】
これにより、検査値推移画面Ｇ１を観察するユーザは、自己の医療機関の検査で取得された検査値と、他の医療機関の検査で取得された検査値とを容易に識別することができる。また、ユーザは、他の医療機関の検査で取得された検査値の表示色等の相違から、その検査値が補正前のものか補正後のものかを容易に識別することができる。また、ユーザは、補正前後の検査値の状態から、自己の医療機関での検査結果との違いを直観的に把握できるため、検査環境の比較を容易に行うことができる。
【００５７】
なお、図５において、点Ｐ１６は、検査環境の特性値（第１の特徴量）が不明の検査値の表示例である。図５に示すように、点Ｐ１６は、他の点とは異なる表示色で表示されている。このように、特性値が不明の検査値については、他の検査値とは異なる形態で表示することで、ユーザの注意を促すことができる。また、特性値が不明の検査値については、例えば図６に示すように、特性値が検出済の検査値間を繋ぐ線分とは異なる線種で繋ぐ形態としてもよい。
【００５８】
ここで、図６は、図５に示した検査値推移画面の変形例を示す図であり、図５と同様の表示内容を示している。図６の検査値推移画面Ｇ２では、検査値推移画面Ｇ１との相違点として、特性値が不明の検査値（点Ｐ１６）に繋がる線分を破線で表している。これにより、特性値が不明の検査値を強調することができるため、ユーザの注意を促すことができる。
【００５９】
また、検査値推移画面は、第１の特性値に基づくものに限らず、第２の特性値を用いたものであってもよい。例えば、図７に示すように、時系列順にプロットした各検査値に対し、第２の特性値で特定される基準範囲を、上述した特性値に基づく情報として付加する形態としてもよい。
【００６０】
ここで、図７は、検査値推移画面の表示形態の一例を示す図である。なお、図７に示す検査値推移画面Ｇ３は、図５と同様の条件（患者ＩＤ「Ｐ０００１」、検査種別「ＨＤＬ−Ｃ」、アクセス元「病院Ｂ」）に基づくものである。
【００６１】
本表示形態の場合、表示制御機能２３５は、時系列順にプロットした検査値の各々に対し、当該検査値が取得された医療機関及び検査種別に係る第２の特性値を対応付けて表示させる。また、表示制御機能２３５は、アクセス元の医療機関に係る第２の特性値と、非アクセス元の医療機関に係る第２の特性値とを識別可能な状態で表示させる。
【００６２】
具体的には、図７に示すように、時系列順にプロットされた点Ｐ１１〜Ｐ１６の検査値に対し、対応する第２の特性値で特定される基準範囲を表した範囲バーＢ１１〜Ｂ１５を対応付けて表示させる。ここで、点Ｐ１１〜Ｐ１５及び範囲バーＢ１１〜Ｂ１５の表示色は、医療機関毎に異なっている。
【００６３】
例えば、病院Ａに係る検査値（点Ｐ１１〜Ｐ１３）及び第２の特性値（Ｂ１１〜Ｂ１３）と、アクセス元の病院Ｂに係る検査値（点Ｐ１４）及び第２の特性値（Ｂ１４）とは、異なる表示色で表示される。また、アクセス元の病院Ｂに係る検査値（点Ｐ１４）及び第２の特性値（Ｂ１４）と、病院Ｃに係る検査値（点Ｐ１５）及び第２の特性値（Ｂ１５）とは、異なる表示色で表示されている。一方、各検査値を繋ぐ線分の表示色は、アクセス元の医療機関（病院Ｂ）の検査値（Ｐ１４）と同じ表示色に統一されている。なお、図７の点Ｐ１６は、図５の点Ｐ１６と同様、特性値が不明の検査値の表示例である。
【００６４】
これにより、検査値推移画面Ｇ３を観察するユーザは、自己の医療機関の検査で取得された検査値と、他の医療機関の検査で取得された検査値とを容易に識別することができる。また、ユーザは、検査値推移画面Ｇ３に表示された基準範囲（範囲バー）状態から、自己の医療機関での基準範囲との違いを直観的に把握できるため、検査環境間の比較を容易に行うことができる。
【００６５】
また、例えば、図７に示した検査値推移画面Ｇ３の変形例として、アクセス元の医療機関に係る第２の特性値（基準範囲）の表示形態を、非アクセス元の医療機関に係る第２特性値とは異なる形態で表示させてもよい。
【００６６】
例えば、図８の検査値推移画面Ｇ４示すように、アクセス元の医療機関に係る範囲バーＢ１４を全期間に亘って表示することで、アクセス元の医療機関に係る第２の特性値をより強調して表示することができるここで、図８は、図７に示した検査値推移画面の変形例を示す図であり、図７と同様の表示内容を示している。
【００６７】
このように、アクセス元の医療機関と非アクセス元の医療機関とで第２の特性値の表示形態を変えることで、アクセス元の医療機関に係る第２の特性値を強調させることができる。また、アクセス元の医療機関で使用されている基準範囲と、非アクセス元の医療機関で使用されている基準範囲との比較が用意となるため、ユーザの利便性を向上させることができる。
【００６８】
また、他の表示形態として、アクセス元の医療機関に係る第２の特性値（基準範囲）を基準に判定した、非アクセス元の医療機関の検査値の正常／異常の判定結果を、検査値推移画面に付加して表示させてもよい。
【００６９】
本表示形態を実現する場合、表示制御機能２３５は、時系列順にプロットした検査値の各々が、アクセス元の医療機関に係る第２の特性値の基準範囲に含まれるか否かを判定することで、正常／異常の判定（第１の判定）を行う。また、表示制御機能２３５は、時系列順にプロットした各検査値の各々が、当該検査値が取得された医療機関に係る第２の特性値の基準範囲に含まれるか否かを判定することで、正常／異常の判定（第２の判定）を行う。なお、第２の判定は行わず、診療データに記録された異常フラグの値を利用しても。
【００７０】
表示制御機能２３５は、第１の判定と第２の判定との判定結果を比較し、例えば、第１の判定と第２の判定とで判定結果が相違する検査値、第１の判定及び第２の判定で共に異常と判定された検査値等を抽出する。そして、表示制御機能２３５は、図９に示すように、抽出した検査値を他の検査値と異なる表示方法で表示させる。
【００７１】
ここで、図９は、検査値推移画面の表示形態の一例を示す図である。なお、図９に示す検査値推移画面Ｇ５は、図５と同様の条件（患者ＩＤ「Ｐ０００１」、検査種別「ＨＤＬ−Ｃ」、アクセス元「病院Ｂ」）に基づくものである。
【００７２】
図９において、例えば、点Ｐ１３の検査値は、当該検査値に対応付けられた範囲バーＢ１３を基準にすると、範囲バーＢ１３内に含まれるため正常となる。一方、点Ｐ１３の検査値は、アクセス元の医療機関の検査値（Ｐ１４）に対応付けられた範囲バーＢ１４を基準にすると、範囲バーＢ１４の外となるため異常となる。このような場合、表示制御機能２３５は、図９に示すように、点Ｐ１３の表示色を他の点の表示色と相違させることで、強調表示を行う。
【００７３】
また、例えば、点Ｐ１１ａの検査値は、当該検査値に対応付けられた範囲バーＢ１１を基準にすると、範囲バーＢ１１の外となるため異常となる。また、点Ｐ１１ａの検査値は、アクセス元の医療機関の検査値（Ｐ１４）に対応付けられた範囲バーＢ１４を基準にすると、範囲バーＢ１４の外となるため異常となる。このような場合、表示制御機能２３５は、図９に示すように、点Ｐ１３の表示色を他の点の表示色と相違させることで、強調表示を行う。
【００７４】
これにより、検査値推移画面Ｇ９を観察するユーザは、自己の医療機関と他の医療機関との基準範囲の相違により判定結果が相違する検査値や、両医療機関で共に判定結果が異常となった検査値を容易に識別することができる。
【００７５】
また、他の表示形態として、第１の特性値及び第２の特性値の両方を用いた検査値推移画面に表示させてもよい。この場合、例えば、表示制御機能２３５は、アクセス元の医療施設に係る第１の特性値に基づいた検査値の補正と、第２の特性値の表示とを実行することで、図１０に示すような検査値推移画面Ｇ６を表示させることができる。
【００７６】
図１０は、検査値推移画面の表示形態の一例を示す図である。なお、図１０に示す検査値推移画面Ｇ６は、図５と同様の条件（患者ＩＤ「Ｐ０００１」、検査種別「ＨＤＬ−Ｃ」、アクセス元「病院Ｂ」）に基づくものである。
【００７７】
図１０に示すように、検査値推移画面Ｇ６では、図５で説明した検査値推移画面Ｇ１の表示形態と、図７で説明した検査値推移画面Ｇ３の表示形態とを混合したものとなっている。なお、図１０では、アクセス元の医療機関に係る第２の特性値（範囲バーＢ１４）のみを表示した例を示しているが、図７と同様に、非アクセス元の医療機関に係る第２の特性値を表示させてもよい。
【００７８】
以上、検査値推移画面の表示形態を説明したが、上述した検査値推移画面Ｇ１〜Ｇ６の例に限定されないものとする。なお、上述した検査値推移画面Ｇ１〜Ｇ６の表示形態は、選択的に指定できるよう構成されてもよい。例えば、ユーザからの指示に応じて、検査値推移画面Ｇ１〜Ｇ６の何れか一つを選択的に表示させる形態としてもよい。
【００７９】
次に、図１１及び図１２を参照して、情報提供サーバ２０の動作について説明する。
【００８０】
ここで、図１１は、情報提供サーバ２０で実行される特性値検出処理の一例を示すフローチャートである。
【００８１】
まず、検出機能２３２は、検査結果ＤＢ２２１に格納された検査環境（検査環境ＩＤ：医用期間）の中から、何れか一つを処理対象に選択する（ステップＳ１１）。次いで、検出機能２３２は、選択した検査環境を含む診療データを読み出し（ステップＳ１２）、検査種別毎に区分けする（ステップＳ１３）。
【００８２】
続いて、検出機能２３２は、区分けした検査種別の中から、何れか一つを処理対象に選
択する（ステップＳ１４）。次いで、検出機能２３２は、選択した検査種別を含む診療データの個数（サンプル数）が所定値以上か否かを判定する（ステップＳ１５）。ここで、サンプル数が所定値以上の場合には（ステップＳ１５；Ｙｅｓ）、検出機能２３２は、その診療データ群に含まれた検査値の傾向に基づき特性値（第１の特性値及び第２の特性値）を検出する（ステップＳ１６）。そして、検出機能２３２は、検出した特性値を、処理対象の検査環境及び検査種別に対応付けて記憶し（ステップＳ１７）、ステップＳ１９に移行する。
【００８３】
一方、サンプル数が所定値未満の場合（ステップＳ１５；Ｎｏ）、検出機能２３２は、特性値が不明であることを示す情報を、処理対象の検査環境及び検査種別に対応付けて記憶し（ステップＳ１８）、ステップＳ１９に移行する。
【００８４】
次いで、検出機能２３２は、全ての検査種別を処理対象に選択したか否かを判定し、未処理の検査種別が存在する場合には（ステップＳ１９；Ｎｏ）、ステップＳ１４に再び戻る。また、全ての検査種別を処理対象とした場合には（ステップＳ１９；Ｙｅｓ）、検出機能２３２は、ステップＳ２０に移行する。
【００８５】
続いて、検出機能２３２は、全ての検査環境を処理対象に選択したか否かを判定し、未処理の検査環境が存在する場合には（ステップＳ２０；Ｎｏ）、ステップＳ１１に再び戻る。また、全ての検査環境を処理対象とした場合には（ステップＳ２０；Ｙｅｓ）、検出機能２３２は、本処理を終了する。
【００８６】
以上の処理により、検査結果ＤＢ２２１に格納された検査環境（医療機関）及び検査種別毎に、その検査環境の特性を表す特性値が取得される。なお、図１１では、検査結果ＤＢ２２１に格納された全ての診療データを処理の対象としたが、これに限らないものとする。例えば、各医療機関について所定数分の診療データが検査結果ＤＢ２２１に格納される毎に、当該医療機関に係る診療データから特性値の検出を行う形態としてもよい。
【００８７】
図１２は、情報提供サーバ２０で実行される情報提供処理の一例を示すフローチャートである。なお、本処理の前提として、図１１で説明した処理等により、医療機関及び検査種別毎の特性値が格納済であるとする。
【００８８】
まず、判定機能２３３は、端末装置１４の何れかから参照要求があるまで待機する（ステップＳ３１；Ｎｏ）。判定機能２３３は、端末装置１４から参照要求を受け付けると（ステップＳ３１；Ｙｅｓ）、この端末装置１４が所属する医療機関をアクセス元の医療機関として判定する（ステップＳ３２）。
【００８９】
続いて、取得機能２３４は、参照要求に含まれた絞り込み条件に基づき、当該参照要求で要求された診療データを検査結果ＤＢ２２１から取得する（ステップＳ３３）。
【００９０】
次いで、表示制御機能２３５は、ステップＳ３３で取得された診療データに含まれる検査値を時系列順に読み出す（ステップＳ３４）。なお、表示制御機能２３５は、ステップＳ３３で取得された診療データに複数の検査種別が混在している場合には、以下の処理を検査種別毎に行うものとする。
【００９１】
表示制御機能２３５は、読み出した検査値がアクセス元の医療機関で取得されたものか否かを判定する（ステップＳ３５）。読み出した検査値がアクセス元の医療機関で取得されたものである場合（ステップＳ３５；Ｙｅｓ）、表示制御機能２３５は、アクセス元の医療機関用に設定された第１の表示方法で検査値をプロットし（ステップＳ３６）、ステップＳ４０に移行する。なお、第２の特性値を付加する場合には、ステップＳ３６でプロ
ットした検査値に対応付けて、第２の特性値の基準範囲に対応する範囲バーを追加する。
【００９２】
また、読み出した検査値が非アクセス元の医療機関で取得されたものである場合（ステップＳ３５；Ｎｏ）、表示制御機能２３５は、その検査値が取得された非アクセス元の医療機関に係る特性値が記憶されているか否かを判定する（ステップＳ３７）。
【００９３】
特性値が記憶されている場合（ステップＳ３７；Ｙｅｓ）、表示制御機能２３５は、アクセス元及び非アクセス元の医療機関に係る特性値（第１の特性値）の差分に基づき補正した検査値と、補正前の検査値とを、第１の表示方法とか異なる第２の表示方法でプロットし（ステップＳ３８）、ステップＳ４０に移行する。なお、第２の表示方法では、補正前後の検査値が識別可能に表示されるものとする。また、第２の特性値を付加する場合には、ステップＳ３８でプロットした検査値に対応付けて、第２の特性値に対応する範囲バーを追加する。
【００９４】
一方、ステップＳ３７で特性値が記憶されていないと判定した場合（ステップＳ１７；Ｎｏ）、表示制御機能２３５は、第１の表示方法及び第２の表示方法とは異なる第３の表示方法で検査値をプロットし（ステップＳ３９）、ステップＳ４０に移行する。
【００９５】
続いて、表示制御機能２３５は、前回読み出した検査値と今回読み出した検査値との両検査値が、第１の表示方法又は第２の表示方法でプロットされているか否かを判定する（ステップＳ４０）。ここで、両検査値の特性値が共に第１の表示方法又は第２の表示方法でプロットされている場合（ステップＳ４０；Ｙｅｓ）、表示制御機能２３５は、両検査値を実線で接続し（ステップＳ４１）、ステップＳ４３に移行する。
【００９６】
また、両検査値の少なくとも一方が、第３の表示方法でプロットされている場合（ステップＳ４０；Ｎｏ）、表示制御機能２３５は、実線以外の他の線種を用いて両検査値を接続し（ステップＳ４２）、ステップＳ４３に移行する。
【００９７】
続いて、表示制御機能２３５は、全ての検査値をプロットしたか否かを判定し、未プロットの検査値が存在する場合には（ステップＳ４３；Ｎｏ）、ステップＳ３４に戻る。一方、全ての検査値をプロットしたと判定した場合には（ステップＳ４３；Ｙｅｓ）、表示制御機能２３５は、プロット結果を表す表示用データを端末装置１４に送信することで、端末装置１４のディスプレイ１４２に検査値推移画面を表示させ（ステップＳ４４）、本処理を終了する。
【００９８】
上述したように、本実施形態では、被検体から取得された検査値と、検査値が取得された日時と、検査値を取得した医療機関を示す情報とを対応付けた診療データを記憶する検査結果ＤＢ２２１から、ユーザにより指定された被検体に係る診療データを取得する。そして、本実施形態では、取得した診療データの各々に含まれる検査値を時系列順に配列して表示させるとともに、配列した検査値に対し当該検査値の取得に係る医療機関の特性を表した特性値に基づく情報を付加して表示させる。
【００９９】
これにより、ユーザは、各検査値に付加された特性値に基づく情報に基づき、各医療機関での検査値の取得に係る特性の違いを認識することができるため、検査環境の相違による検査値又は基準範囲のばらつきを容易に比較することができる。したがって、本実施形態では、複数の医療機関で測定された測定結果の表示に係る利便性を向上させることができる。
【０１００】
なお、上述した実施形態は、情報提供サーバ２０が有する構成又は機能の一部を変更することで、適宜に変形して実施することも可能である。そこで、以下では、上述した実施
形態に係るいくつかの変形例を他の実施形態として説明する。なお、以下では、上述した実施形態と異なる点を主に説明することとし、既に説明した内容と共通する点については詳細な説明を省略する。また、以下で説明する変形例は、個別に実施されてもよいし、適宜組み合わせて実施されてもよい。
【０１０１】
（変形例１）
上述した実施形態では、検査結果ＤＢ２２１に格納された診療データから第２の特性値（基準範囲）を検出する例を説明したが、基準範囲を予め保持する形態としてもよい。
【０１０２】
本変形例を適用する場合、例えば、情報提供サーバ２０は、図１１に示すように、検査環境及び検査項目毎の基準範囲を格納した基準範囲ＤＢ２２２を記憶回路２２０に保持する。図１３は、変形例１に係る情報提供サーバ２０の構成の一例を示す図である。なお、基準範囲ＤＢ２２２は、記憶回路２２０が保持する形態に限らず、情報提供サーバ２０がアクセス可能な外部装置が保持する形態としてもよい。
【０１０３】
基準範囲ＤＢ２２２は、検査環境（医療機関）及び検査項目毎に基準範囲を対応付けて格納する。例えば、基準範囲ＤＢ２２２は、図１４に示すように、検査環境、検査種別、基準範囲、単位等のデータ項目を対応付けて格納する。図１４は、基準範囲ＤＢ２２２のデータ構成の一例を示す図である。
【０１０４】
ここで、検査環境、検査種別及び単位のデータ項目は、検査結果ＤＢ２２１に含まれた同名のデータ項目と同様である。また、基準範囲は、上述した実施形態の第２の特性値で特定される基準範囲に対応するものであり、検査環境及び検査項目毎に予め設定されている。なお、基準範囲ＤＢ２２２に格納される基準範囲は、検査環境及び検査項目毎に設定するものに限らず、ガイドライン等で規定された共通の基準範囲であってもよい。
【０１０５】
また、本変形例では、情報提供サーバ２０（表示制御機能２３５）は、上述した実施形態の第２の特性値に基づく範囲バーの表示に代えて、基準範囲ＤＢ２２２に格納された基準範囲に基づいて範囲バーを表示する。
【０１０６】
このような構成によれば、上述した実施形態と同様の検査値推移画面を表示させることができるため、上述した実施形態を同様の効果を奏することができる。また、ガイドライン等で規定された共通の基準範囲を用いることで、各医療機関での検査結果のどの程度のばらつきがあるのかを、共通の基準範囲を基準に把握することができるため、複数の医療機関で測定された測定結果の表示に係る利便性を向上させることができる。
【０１０７】
（変形例２）
上述した実施形態では、検体検査によって得られた検査値（数値データ）を表示の対象としたが、これに限らず、他の検査で得られた検査値（数値データ）を表示の対象としてもよい。例えば、心電図や脳波等の生理機能検査によって得られた検査値（数値データ）を表示の対象としてもよい。また、表示の対象は、検査によって得られた検査値に限らず、測定値に拡張することも可能である。例えば、被検体の食事の摂取量が測定値（数値データ）として記録される場合、当該測定値の推移を上述した方法で表示することも可能である。
【０１０８】
（変形例３）
上述した実施形態では、検査環境及び検査項目毎に特性値を検出する形態としたが、更なる細分化として、被検体の特性毎に特性値を検出する形態としてもよい。ここで、被検体の特性は、例えば、性別や年齢、ＢＭＩ（Body  Mass  Index）、喫煙／飲酒習慣の有無等が挙げられる。被検体の特性は、診療データに含まれていてもよいし、患者ＩＤ等の
被検体識別子に対応付けて外部のデータベース等に格納されていてもよい。
【０１０９】
本変形例では、情報提供サーバ２０（検出機能２３２）は、検査環境及び検査項目に加え、被検体の特性毎に特性値を検出する。例えば、検出機能２３２は、被検体の年代毎に特性値を検出する。この場合、例えば、第２の特性値は、被検体の年代に応じて基準範囲が変化する可能性があるため、本変形例の形態に適した表示方法で検査値推移画面を表示させることが好ましい。
【０１１０】
図１５は、本変形例に係る検査値推移画面の表示形態の一例を示す図である。図１５の検査値推移画面Ｇ７は、特定の小児の心拍数の推移を表している。横軸は検査が行われた時の小児の月齢（年齢）を、縦軸は心拍数（回／分）を表している。
【０１１１】
また、点Ｐ２１は、小児が１ヶ月の時に病院Ａで取得された検査値に対応し、点Ｐ２２は、小児が６ヶ月の時に病院Ｂで取得された検査値に対応し、点Ｐ２３は、小児が２歳の時に病院Ａで取得された検査値に対応する。そして、図１５では、点Ｐ２１〜Ｐ２３の各々に対応付けて、各医療機関の第２の特性値に対応する範囲バーＢ２１〜Ｂ２３が表示されている。
【０１１２】
ここで、範囲バーＢ２１は、新生児（０ヶ月〜１ヶ月）の年代について検出された病院Ａに係る第２の特性値に対応し、範囲バーＢ２２は、１ヶ月〜１２ヶ月の年代について検出された病院Ｂに係る第２の特性値に対応し、範囲バーＢ２３は、１歳〜３歳の年代について検出された病院Ｃに係る第２の特性値に対応する。つまり、検査値推移画面Ｇ７では、小児の検査が行われた年齢（月例）に基づき、該当する年代の第２の特性値に対応する範囲バーを検査値に対応付けて表示している。
【０１１３】
また、図１５では、アクセス元の医療機関を病院Ｂとした例を示しており、病院Ｂの診療データから検出された新生児の年代に係る第２の特性値を、範囲バーＢ２２ａ〜Ｂ２２ａとして、点Ｐ２１に対応付けて表示している。また、同様に、病院Ｂの診療データから検出された１歳〜３歳の年代に係る第２の特性値を、範囲バーＢ２２ｂ〜Ｂ２２ｂとして、点Ｐ２３に対応付けて表示している。
【０１１４】
このような構成によれば、被検体の年齢等、被検体の特性に対応する基準範囲を検査値に対応付けて表示させることができるため、被検体の特性に適した基準範囲を指標として用いることができる。また、基準となる医療機関の基準範囲と、他の医療機関の基準範囲とを比較可能な状態で表示することで、被検体の特性毎に、各医療機関での検査結果のどの程度のばらつきがあるのかを容易に把握することができる。したがって、複数の医療機関で測定された測定結果の表示に係る利便性を向上させることができる。
【０１１５】
（変形例４）
上述した実施形態では、上限値及び下限値の２値で特定される範囲を基準範囲としたが、これに限らず、３値以上の値で特定される各範囲を基準範囲としてもよい。
【０１１６】
図１６は、本変形例に係る検査値推移画面の表示形態の一例を示す図である。ここで、図１６の検査値推移画面Ｇ８は、特定の被検体に対して行われた病理検査の結果の推移を表している。横軸は検査が行われた日付を、縦軸は検査値を表している。
【０１１７】
図１６に示すように、検査値推移画面Ｇ８では、陰性、陽性（低発現）及び陽性（高発現）の３段階の基準範囲を定義した例を示している。この場合、情報提供サーバ２０（検出機能２３２）は、診療データに含まれる病理検査の結果等から、各段階の閾値Ｂ３２をそれぞれ特定することで、第２の特性値として検出することができる。
【０１１８】
なお、検査値推移画面Ｇ８では、アクセス元の医療機関を「病院Ｂ」とした例をしており、点Ｐ３２が病院Ｂで取得された検査値に対応する。また、非アクセス元の医療機関「病院Ａ」、「病院Ｃ」の補正前の検査値を点Ｐ３１、点Ｐ３３で表し、補正後の値を、点Ｐ３１’、点Ｐ３３’で表している。
【０１１９】
このような構成によれば、基準範囲が多段階で定義されるような検査であっても、上述した実施形態と同様の検査値推移画面を表示させることができるため、上述した実施形態を同様の効果を奏することができる。
【０１２０】
（変形例５）
上述した実施形態では、特性値が検出済の検査値間については実線を用いて繋ぐ形態を説明したが、この形態に限らないものとする。例えば、特性値が検出済の検査値であっても、その検査値が統計上の外れ値に該当する場合には、異なる線種や表示色を用いて繋ぐことで、その検査値が外れ値であることを識別可能に表示させてもよい。
【０１２１】
図１７は、本変形例に係る検査値推移画面の表示形態の一例を示す図である。検査値推移画面Ｇ９の横軸は検査が行われた日付を、縦軸は検査値を表している。また、点Ｐ４１〜点Ｐ４５の各点は、複数の医療機関で取得された検査値に対応し、範囲バーＢ４１〜Ｂ４５の各々は、各検査値が取得された医療機関に係る第２の特性値に対応する。なお、何れの検査値も特性値が検出済であるとする。
【０１２２】
ここで、点Ｐ４１〜点Ｐ４５のうち、例えば、点Ｐ４３が外れ値に該当するような場合、情報提供サーバ２０（表示制御機能２３５）は、点Ｐ４３に繋がる線分を、他の線分とは異なる線種とすることで、点Ｐ４３が外れ値であることを識別可能に表示する。なお、外れ値か否かを判定する方法は特に問わず、統計等の分野における公知の技術を用いてもよい。
【０１２３】
このような構成によれば、各医療機関で検査された検査値のうち、外れ値に該当する検査値については、外れ値であることを識別可能に表示することで、ユーザの注意を促すことができる。したがって、ユーザは、信頼性の低い検査結果を分析対象から容易に除外することができるため、利便性を向上させることができる。
【０１２４】
（変形例６）
上述した実施形態では、アクセス元の医療機関を基準に検査値の補正等を行う形態を説明したが、基準とする医療機関はこれに限らないものとする。例えば、ユーザから、基準とする医療機関が指定された場合には、この指定された医療機関を基準に検査値の補正等を行う形態としてもよい。
【０１２５】
（変形例７）
上述した実施形態では、情報提供サーバ２０が、各医療機関の特性値を検出する形態としたが、これに限らないものとする。例えば、医療機関システム１０の各々が、自己の医療機関で取得された診療データから特性値を検出する形態としてもよい。また、例えば、医用情報処理システムの外部の装置が、各医療機関の特性値を検出する形態としてもよい。なお、情報提供サーバ２０の外で特性値が検出される場合には、情報提供サーバ２０は、外部装置で検出された特性値を用いて、上述した処理を実行する。
【０１２６】
（変形例８）
上述した実施形態では、医療機関システム１０の各々から独立したネットワークＮ１上に情報提供サーバ２０を設けた形態を説明したが、情報提供サーバ２０の設置位置はこれ
に限らないものとする。例えば、情報提供サーバ２０は、医療機関システム１０の各々に設置されてもよい。また、情報提供サーバ２０が有する各機能（収集機能２３１、検出機能２３２、判定機能２３３、取得機能２３４及び表示制御機能２３５）の一部又は全ては、例えば、端末装置１４等、医用情報処理システム内の何れかの装置が備えてもよい。
【０１２７】
なお、上述した各実施形態では、本明細書における判定部、取得部及び表示制御部を、それぞれ、処理回路２３０の判定機能２３３、取得機能２３４及び表示制御機能２３５によって実現する場合の例を説明したが、実施形態はこれに限られない。例えば、本明細書における判定部、取得部及び表示制御部は、実施形態で述べた表判定機能２３３、取得機能２３４及び表示制御機能２３５によって実現する他にも、ハードウェアのみ、又は、ハードウェアとソフトウェアとの混合によって同機能を実現するものであっても構わない。
【０１２８】
また、上述した説明で用いた「プロセッサ」という文言は、例えば、ＣＰＵ（Central
Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。プロセッサは、記憶回路２２０に保存されたプログラムを読み出して実行することで、機能を実現する。なお、記憶回路２２０にプログラムを保存する代わりに、プロセッサの回路内にプログラムを直接組み込むように構成しても構わない。この場合は、プロセッサは回路内に組み込まれたプログラムを読み出して実行することで機能を実現する。また、本実施形態のプロセッサは、単一の回路として構成される場合に限らず、複数の独立した回路を組み合わせて一つのプロセッサとして構成され、その機能を実現するようにしてもよい。
【０１２９】
ここで、プロセッサによって実行されるプログラムは、ＲＯＭ（Read  Only  Memory）や記憶回路等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に格納され、ネットワーク経由でダウンロードされることにより提供又は配布されてもよい。例えば、このプログラムは、上述した各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【０１３０】
以上説明した少なくとも１つの実施形態によれば、複数の医療機関で測定された測定結果の表示に係る利便性を向上させることができる。
【０１３１】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１３２】
１０  医療機関システム
２０  情報提供サーバ
２３１  収集機能
２３２  検出機能
２３３  判定機能
２３４  取得機能
２３５  表示制御機能
【図１】
2020126462.tif 000003
【図２】
2020126462.tif 000004
【図３】
2020126462.tif 000005
【図４】
2020126462.tif 000006
【図５】
2020126462.tif 000007
【図６】
2020126462.tif 000008
【図７】
2020126462.tif 000009
【図８】
2020126462.tif 000010
【図９】
2020126462.tif 000011
【図１０】
2020126462.tif 000012
【図１１】
2020126462.tif 000013
【図１２】
2020126462.tif 000014
【図１３】
2020126462.tif 000015
【図１４】
2020126462.tif 000016
【図１５】
2020126462.tif 000017
【図１６】
2020126462.tif 000018
【図１７】
2020126462.tif 000019